【手続補正書】
【提出日】平成18年7月21日(2006.7.21)
【手続補正１】
【補正対象書類名】明細書
【補正対象項目名】特許請求の範囲
【補正方法】変更
【補正の内容】
【特許請求の範囲】
【請求項１】  外部より入力される入力画像の特定領域内の網点を検出する網点検出手段と、前記特定領域内のエッジを検出するエッジ検出手段と、前記特定領域内が白領域か否かを検出する白領域検出手段と、前記網点検出手段と前記エッジ検出手段と前記白領域検出手段との検出結果を基に、前記特定領域内が文字領域か絵柄領域かを判定する判定手段と、を有し、前記判定手段の判定結果に基づいて前記入力画像の画像処理を行う画像処理装置であって、
前記白領域検出手段は、
前記入力画像の特定領域内の万線パターンを検出し、絵柄判定を行う万線パターン検出手段を有することを特徴とする画像処理装置。
【請求項２】  外部より入力される入力画像の特定領域内のエッジを検出するエッジ検出手段と、前記特定領域内が白領域か否かを検出する白領域検出手段と、前記エッジ検出手段と前記白領域検出手段との検出結果を基に、前記特定領域内が文字領域か絵柄領域かを判定する判定手段と、を有し、前記判定手段の判定結果に基づいて前記入力画像の画像処理を行う画像処理装置であって、
前記白領域検出手段は、
前記入力画像の特定領域内の万線パターンを検出し、絵柄判定を行う万線パターン検出手段を有することを特徴とする画像処理装置。
【請求項３】  前記万線パターン検出手段は、
特定濃度の万線パターンを検出する特定濃度万線パターン検出手段を有することを特徴とする請求項１または２記載の画像処理装置。
【請求項４】  前記万線パターン検出手段は、
注目画素の濃度値が、所定の閾値内の濃度値を保持し、且つ、前記注目画素の周辺画素の濃度値以上の濃度値を保持し、且つ、前記注目画素から所定の画素を介して位置する特定画素と、前記注目画素と、が前記所定の画素を含めた画素の中で最小値以上の濃度値を保持している場合に、万線パターンを検出することを特徴とする請求項１から３の何れか１項に記載の画像処理装置。
【請求項５】  前記万線パターン検出手段は、
注目画素の濃度値が、所定の閾値以上の濃度値であると判定した場合は、文字領域とみなし、強制的に万線パターンを検出しないことを特徴とする請求項１から４の何れか１項に記載の画像処理装置。
【請求項６】  外部より入力される入力画像の特定領域内の網点を検出する網点検出手段と、前記特定領域内のエッジを検出するエッジ検出手段と、前記特定領域内が白領域か否かを検出する白領域検出手段と、前記網点検出手段と前記エッジ検出手段と前記白領域検出手段との検出結果を基に、前記特定領域内が文字領域か絵柄領域かを判定する判定手段と、を有し、前記判定手段の判定結果に基づいて前記入力画像の画像処理を行う画像処理装置において実行される画像処理プログラムであって、
前記白領域検出手段において、
前記入力画像の特定領域内の万線パターンを検出し、絵柄判定を行う万線パターン検出処理を実行させることを特徴とする画像処理プログラム。
【請求項７】  前記万線パターン検出処理は、
特定濃度の万線パターンを検出することを特徴とする請求項６記載の画像処理プログラム。
【請求項８】  前記万線パターン検出処理は、
注目画素の濃度値が、所定の閾値内の濃度値を保持し、且つ、前記注目画素の周辺画素の濃度値以上の濃度値を保持し、且つ、前記注目画素から所定の画素を介して位置する特定画素と、前記注目画素と、が前記所定の画素を含めた画素の中で最小値以上の濃度値を保持している場合に、万線パターンを検出することを特徴とする請求項６または７記載の画像処理プログラム。
【請求項９】  前記万線パターン検出処理は、
注目画素の濃度値が、所定の閾値以上の濃度値であると判定した場合は、文字領域とみなし、強制的に万線パターンを検出しないことを特徴とする請求項６から８の何れか１項に記載の画像処理プログラム。
【請求項１０】  請求項６から請求項９までの何れか１項に記載の画像処理プログラムを記録したコンピュータ読み取り可能な記録媒体。
【手続補正２】
【補正対象書類名】明細書
【補正対象項目名】００２２
【補正方法】変更
【補正の内容】
【００２２】
【課題を解決するための手段】
かかる目的を達成するために本発明は以下のような特徴を有する。
本発明にかかる画像処理装置は、外部より入力される入力画像の特定領域内の網点を検出する網点検出手段と、特定領域内のエッジを検出するエッジ検出手段と、特定領域内が白領域か否かを検出する白領域検出手段と、網点検出手段とエッジ検出手段と白領域検出手段との検出結果を基に、特定領域内が文字領域か絵柄領域かを判定する判定手段と、を有し、判定手段の判定結果に基づいて入力画像の画像処理を行う画像処理装置であって、白領域検出手段は、入力画像の特定領域内の万線パターンを検出し、絵柄判定を行う万線パターン検出手段を有することを特徴とする。
また、本発明にかかる画像処理装置は、外部より入力される入力画像の特定領域内のエッジを検出するエッジ検出手段と、特定領域内が白領域か否かを検出する白領域検出手段と、エッジ検出手段と白領域検出手段との検出結果を基に、特定領域内が文字領域か絵柄領域かを判定する判定手段と、を有し、判定手段の判定結果に基づいて入力画像の画像処理を行う画像処理装置であって、白領域検出手段は、入力画像の特定領域内の万線パターンを検出し、絵柄判定を行う万線パターン検出手段を有することを特徴とする。
【手続補正３】
【補正対象書類名】明細書
【補正対象項目名】００２３
【補正方法】変更
【補正の内容】
【００２３】
また、本発明にかかる画像処理装置において、万線パターン検出手段は、特定濃度の万線パターンを検出する特定濃度万線パターン検出手段を有することを特徴とする。
【手続補正４】
【補正対象書類名】明細書
【補正対象項目名】００２４
【補正方法】変更
【補正の内容】
【００２４】
また、本発明にかかる画像処理装置において、万線パターン検出手段は、注目画素の濃度値が、所定の閾値内の濃度値を保持し、且つ、注目画素の周辺画素の濃度値以上の濃度値を保持し、且つ、注目画素から所定の画素を介して位置する特定画素と、注目画素と、が所定の画素を含めた画素の中で最小値以上の濃度値を保持している場合に、万線パターンを検出することを特徴とする。
【手続補正５】
【補正対象書類名】明細書
【補正対象項目名】００２５
【補正方法】変更
【補正の内容】
【００２５】
また、本発明にかかる画像処理装置において、万線パターン検出手段は、注目画素の濃度値が、所定の閾値以上の濃度値であると判定した場合は、文字領域とみなし、強制的に万線パターンを検出しないことを特徴とする。
【手続補正６】
【補正対象書類名】明細書
【補正対象項目名】００２６
【補正方法】変更
【補正の内容】
【００２６】
また、本発明にかかる画像処理プログラムは、外部より入力される入力画像の特定領域内の網点を検出する網点検出手段と、特定領域内のエッジを検出するエッジ検出手段と、特定領域内が白領域か否かを検出する白領域検出手段と、網点検出手段とエッジ検出手段と白領域検出手段との検出結果を基に、特定領域内が文字領域か絵柄領域かを判定する判定手段と、を有し、判定手段の判定結果に基づいて入力画像の画像処理を行う画像処理装置において実行される画像処理プログラムであって、白領域検出手段において、入力画像の特定領域内の万線パターンを検出し、絵柄判定を行う万線パターン検出処理を実行させることを特徴とする。
【手続補正７】
【補正対象書類名】明細書
【補正対象項目名】００２７
【補正方法】変更
【補正の内容】
【００２７】
また、本発明にかかる画像処理プログラムにおいて、万線パターン検出処理は、特定濃度の万線パターンを検出することを特徴とする。
【手続補正８】
【補正対象書類名】明細書
【補正対象項目名】００２８
【補正方法】変更
【補正の内容】
【００２８】
また、本発明にかかる画像処理プログラムにおいて、万線パターン検出処理は、注目画素の濃度値が、所定の閾値内の濃度値を保持し、且つ、注目画素の周辺画素の濃度値以上の濃度値を保持し、且つ、注目画素から所定の画素を介して位置する特定画素と、注目画素と、が所定の画素を含めた画素の中で最小値以上の濃度値を保持している場合に、万線パターンを検出することを特徴とする。
【手続補正９】
【補正対象書類名】明細書
【補正対象項目名】００２９
【補正方法】変更
【補正の内容】
【００２９】
また、本発明にかかる画像処理プログラムにおいて、万線パターン検出処理は、注目画素の濃度値が、所定の閾値以上の濃度値であると判定した場合は、文字領域とみなし、強制的に万線パターンを検出しないことを特徴とする。
【手続補正１０】
【補正対象書類名】明細書
【補正対象項目名】００３０
【補正方法】変更
【補正の内容】
【００３０】
また、本発明にかかる記録媒体は、上記記載の画像処理プログラムをコンピュータ読み取り可能な記録媒体に記録したことを特徴とする。